(57)【要約】【課題】外表面と面一に設けられた採光部材を備えるとともに、採光部材を取り外すことが可能な採光部材付きパネルの提供。【解決手段】第１の外表面３ａと第１の外表面３ａの裏面側の第２の外表面４ａとを有するフラッシュパネル１００であって、第１の外表面３ａと面一に配置された表面５ａを有し、かつ透光性を有する平板状の第１の採光部材５と、第２の外表面４ａと面一に配置された表面６ａを有し、かつ第１の採光部材５に対向して配置された透光性を有する平板状の第２の採光部材６とを備え、第１の外表面３ａの一部分が、第１の採光部材５を含む第１の板状部材７で構成され、第２の外表面４ａの一部分が、第２の採光部材６を含む第２の板状部材８で構成され、第１及び第２の板状部材７，８はフラッシュパネル１００の上端縁１００ａからスライドして挿入することにより取り付けられている。【選択図】図２
2020020189.tif 000002
【特許請求の範囲】
【請求項１】
第１の外表面と前記第１の外表面の裏面側の第２の外表面とを有する採光部材付きパネルであって、
前記第１の外表面と面一に配置された表面を有し、かつ透光性を有する平板状の第１の採光部材と、
前記第２の外表面と面一に配置された表面を有し、かつ前記第１の採光部材に対向して配置された透光性を有する平板状の第２の採光部材と、
を備え、
前記第１及び第２の外表面の少なくとも一方の一部分が、前記第１又は第２の採光部材を含む板状部材で構成され、
前記板状部材は、前記採光部材付きパネルの端縁からスライドして挿入することにより、前記採光部材付きパネルに取り付けられている
ことを特徴とする採光部材付きパネル。
【請求項２】
前記板状部材は、互いに平行な両側縁を有し、前記両側縁に沿って延在する突条部を有し、
前記採光部材付きパネルは、前記突条部がそれぞれ挿入される、前記端縁に向かって延在し、互いに平行に対向した一対の案内溝を有する
ことを特徴とする、請求項１記載の採光部材付きパネル。
【請求項３】
前記採光部材付きパネルは、芯材と、前記芯材を挟み込む第１及び第２の表面板材とを備えたフラッシュパネルであり、
前記第１の表面板材の外表面は、前記第１の外表面を構成し、
前記第２の表面板材の外表面は、前記第２の外表面を構成し、
前記第１及び第２の表面板材の少なくとも一方は、前記フラッシュパネルの端縁に向かって開口した切欠部を有し、
前記切欠部の縁部に沿って、前記一対の案内溝が形成され、
前記板状部材は、前記切欠部に前記端縁から挿入される
ことを特徴とする、請求項２記載の採光部材付きパネル。
【請求項４】
前記一対の案内溝は、前記切欠部の縁部に沿った部分と、前記芯材の前記切欠部の縁部に沿った部分に形成されたしゃくり加工部とによって構成されている
ことを特徴とする、請求項３記載の採光部材付きパネル。
【請求項５】
前記採光部材付きパネルは、一対の縦框部材と、前記一対の縦框部材を連結する上桟部材及び下桟部材とを備えた框戸であり、
前記一対の案内溝は、前記一対の縦框部材の互いに平行な対向面に形成されている
ことを特徴とする、請求項２記載の採光部材付きパネル。
【請求項６】
前記板状部材は、採光部材からなる
ことを特徴とする、請求項１〜５のいずれか一項に記載の採光部材付きパネル。
【発明の詳細な説明】
【技術分野】
【０００１】
本発明は、採光部材付きパネルに係り、より詳細には、窓付きドアなどに適用して好適な、採光部材の外表面とパネルの外表面とが同一平面上に位置する採光部材付きパネルに関する。
【背景技術】
【０００２】
従来の窓付きドアにおいては、硝子板やポリカーボネート板のような平板状の採光部材が、その周囲をドアの両面側から額材で挟み込むことによってドア本体に固定されていた。そして、例えば硝子板が割れた場合等には、額材を取り外すことによって、硝子板だけを簡単に交換することができた。
【０００３】
ところが、かかる従来の窓付きドアにおいては、窓部分の採光部材の厚さがドア本体の厚さよりも薄いため、窓部分周囲の額材に沿って段差が形成されてしまう。このため、引戸としてかかる窓付きドアを設置した場合に、引戸どうしがスライドして重なる際や、片引戸と方立とが重なる際に、窓部分周囲の額材の段差に手指が巻き込まれるおそれがある。
【０００４】
そこで、窓部分とフラッシュパネルの表面板との間に段差がないように構成された窓部材を有するフラッシュパネルが特許文献１に記載されている。かかるフラッシュパネルにおいては、表面板の外面と窓部材（採光部材）の外面とが段差なく同一平面上に設けられ、さらに、窓部材が表面板と芯材との間に挟まれることによって強固に固定されている。
【０００５】
また、特許文献２には、フラッシュパネルの両面で窓部分の段差を無くすためには、採光部材をフラッシュパネルの両面でそれぞれ表面板の外面と面一に設けた採光窓付き内層パネルが記載されている。
【先行技術文献】
【特許文献】
【０００６】
【特許文献１】実用新案登録第３２１３８３３号公報
【特許文献２】特開２００５−２３２８７９号公報
【発明の概要】
【発明が解決しようとする課題】
【０００７】
ところで、かかるフラッシュパネルにおいては、採光部材を挟持する表面板と芯材とが接着固定されているため、採光部材だけを取り外して交換することが困難であった。その結果、例えば、採光部材に傷がついた場合、特に、目視検査の見落とし等の要因による傷が視認された場合には、フラッシュパネル全体を交換する必要があった。
【０００８】
さらに、上記の特許文献２に記載されたパネルのように、採光部材をフラッシュパネルの両面でそれぞれ表面板の外面と面一に設けた場合、フラッシュパネル完成後は、両面に嵌め込まれた２枚の採光部材に挟まれた内部空間を手入れすることが困難となる。例えば、内部空間に侵入した埃を除去することは困難であり、また、採光部材の内面に曇りや結露が発生した場合に、採光部材の内面を拭き掃除することも困難である。
【０００９】
このため、パネルの両面に面一の採光部材を設ける場合には、内部空間の埃や曇りが目立たぬように半透明の採光部材を採用せざるを得ない場合があった。その結果、透明な採光部材を採用できないことによって、パネルのデザインが制約を受けてしまうことがあった。
【００１０】
本発明は、上記の事情に鑑みてなされたものであり、パネルの両面にそれぞれパネルの外表面と面一に設けられた採光部材を備えるとともに、少なくとも一方の採光部材を取り外すことが可能な採光部材付きパネルの提供を目的としている。
【課題を解決するための手段】
【００１１】
上記目的を達成するため本発明の採光部材付きパネルは、前記第１の外表面と面一に配置された表面を有し、かつ透光性を有する平板状の第１の採光部材と、前記第１の外表面の裏面側の前記第２の外表面と面一に配置された表面を有し、かつ前記第１の採光部材に対向して配置された透光性を有する平板状の第２の採光部材と、を備えた採光部材付きパネルであって、前記第１及び第２の外表面の少なくとも一方の一部分が、前記第１又は第２の採光部材を含む板状部材で構成され、前記板状部材は、前記採光部材付きパネルの端縁からスライドして挿入することにより、前記採光部材付きパネルに取り付けられていることを特徴としている。
【発明の効果】
【００１２】
本発明の採光部材付きパネルは、第１及び第２の外表面と面一に設けられた第１及び第２の採光部材の少なくとも一方が、板状部材ごと又は板状部材として採光部材付きパネルの端縁からスライドして挿入されて取り付けられている。このため、パネル完成後であっても、板状部材をスライドさせることにより、板状部材ごと又は板状部材としての採光部材を容易に取り外すことができる。
これにより、パネル全体を交換せずに、板状部材ごと又は板状部材としての採光部材を取り外して交換することができる。例えば、採光部材に傷がついた場合、特に、目視検査の見落とし等の要因による傷が視認された場合であっても、板状部材ごと又は板状部材としての採光部材を取り外して交換することができ、その結果、パネル全体を交換する必要がなくなる。
また、板状部材をスライドさせれば、両面に嵌め込まれた第１及び第２の採光部材に挟まれた内部空間を手入れすることができる。例えば、板状部材をスライドさせることにより、内部空間を開放することができるため、内部空間に侵入した埃を除去することができる。また、採光部材の内面に曇りや結露が発生した場合には、第１及び第２の採光部部材の内面を拭き掃除することができる。
さらに、内部空間の埃や曇りを除去することができるため、透明な採光部材を採用できるようになり、デザインの制約を緩和することができる。
【図面の簡単な説明】
【００１３】
【図１】本発明の第１実施形態に係る採光部材付きパネルの分解斜視図である。
【図２】本発明の第１実施形態に係る採光部材付きパネルの斜視図であり、（ａ）は、板状部材の取付け前の状態を示し、（ｂ）は、板状部材の取付け後の状態を示す。
【図３】（ａ）は、図２（ａ）のＡ−Ａ線に沿った断面図であり、（ｂ）の上段は、図２（ａ）のＢ１−Ｂ１線に沿った断面図であり、下段は、図２（ａ）のＢ２−Ｂ２線に沿った断面図であり、（ｃ）は、図２（ｂ）のＣ−Ｃ線に沿った断面図である。
【図４】図２（ｂ）のＤ−Ｄ線に沿った断面図である。
【図５】本発明の第２実施形態に係る採光部材付きパネルの斜視図であり、（ａ）は、採光部材の取付け前の状態を示し、（ｂ）は、採光部材の取付け後の状態を示す。
【発明を実施するための形態】
【００１４】
以下、本発明に係る採光部材付きパネルの実施形態について、図面を参照して説明する。
［第１実施形態］
図１に、本発明の第１実施形態に係る採光部材付きパネルの分解斜視図を示す。同図に示すように、本実施形態の採光部材付きパネルは、芯材１，２と、芯材１，２を挟み込む化粧板である第１及び第２の表面板材３，４とを備えた、丸窓付きのフラッシュパネル１００である。
【００１５】
芯材１は、フラッシュパネル１００の骨組みを構成する。芯材２は、第１の採光部材５及び第２の採光部材６の周辺部を内側から支持する集成材であり、フラッシュパネル１００の丸窓に対応する位置に丸穴加工により円形開口部２０が形成されている。
【００１６】
第１の表面板材３の外表面は第１の外表面３ａを構成し、丸窓には、第１の外表面３ａと面一に配置された表面５ａを有し、かつ透光性を有する平板状、より具体的には円盤状の第１の採光部材５が設けられている。
また、第１の外表面３ａの裏面側の第２の表面板材４の外表面は第２の外表面４ａを構成し、丸窓には、第２の外表面４ａと面一に配置された表面６ａを有し、かつ第１の採光部材５に対向して配置された透光性を有する平板状、より具体的には円盤状の第２の採光部材６が更に設けられている。
【００１７】
なお、第１及び第２の採光部材５，６の材質は特に限定されず、例えば、硝子板でもよいし、アクリル板でもよいし、ポリカーボネート板でもよい。また、第１及び第２の採光部材５，６は、透明でもよいし、半透明でもよい。また、無色でもよいし、着色されていてもよい。また、窓の形状は、丸窓に限定されず、任意好適な形状に適用することができる。
【００１８】
本実施形態では、第１の外表面３ａの一部分が、第１の採光部材５を含む第１の板状部材７で構成されるとともに、第２の外表面４ａの一部分が、第２の採光部材６を含む第２の板状部材８で構成されている。
第１の板状部材７は、丸穴加工された板状部材本体７１と、板状部材本体７１の円形開口部に嵌め込まれた第１の採光部材５とで構成されている。第１の板状部材７は、互いに平行な両側縁７ａを有し、両側縁７ａに沿って延在する突条部７２を有している。
また、第２の板状部材８も、第１の板状部材７と同様に、丸穴加工された板状部材本体８１と、板状部材本体８１の円形開口部に嵌め込まれた第２の採光部材６とで構成されている。第２の板状部材８も、互いに平行な両側縁８ａを有し、両側縁８ａに沿って延在する突条部８２を有している。突条部７２及び８２は、例えば、図３（ｂ）に示すように、外面側を切り欠いた段差部として形成するとよい。
なお、第１及び第２の板状部材７，８は、板状部材本体７１，８１を省略して、採光部材のみで構成してもよい。
【００１９】
第１の表面板材３は、フラッシュパネル１００の上端縁１００ａに向かって開口した切欠部３０を有し、この切欠部３０に、第１の板状部材７が取り付けられる。これにより、フラッシュパネル１００の第１の表面板材３側の第１の外表面３ａの一部分は、第１の板状部材７で構成されることになる。
また、第２の表面板材４も、第１の表面板材３と同様に、フラッシュパネル１００の上端縁１００ａに向かって開口した切欠部４０を有し、この切欠部４０に、第２の板状部材８が取り付けられる。これにより、フラッシュパネル１００の第２の表面板材４側の第２の外表面４ａの一部分は、第２の板状部材８で構成されることになる。
なお、本明細書においては、フラッシュパネル１００の上端縁１００ａとは、フラッシュパネル１００を建物等の設置箇所に設置した状態での上端縁をいう。
【００２０】
また、芯材１のうち、第１表面板材３の切欠部の縁部に沿う位置には、互いに平行に一対の縦部材１０が設けられている。この一対の縦部材１０には、第１の表面板材３の切欠部３０の縁部に沿った部分と共に一対の案内溝を構成するために、縁部に沿って切り欠きが形成されたしゃくり加工部１１が形成され、かつ、第２の表面板材４の切欠部４０に沿った部分それぞれ一対の案内溝を構成するために、縁部に沿って切り欠きが形成されたしゃくり加工部１１が形成されている。これにより、二対の案内溝は、互いに平行に対向して第１及び第２の外表面３ａ，４ａと平行に延在することになる。
さらに、一対の縦部材１０を連結する上桟１２には、第１の板状部材７及び第２の板状部材８それぞれの厚さに応じた段落ち加工が施されている。
【００２１】
そして、図２（ａ）及び図２（ｂ）に示すように、第１の板状部材７は、一対の突条部７２を一対の案内溝１１ａにそれぞれ挿入して、フラッシュパネル１００の上端縁から第１の外表面３ａに沿った方向へスライドして挿入することにより、フラッシュパネル１００に取り付けられる。また、第２の板状部材８も、第１の板状部材７と同様に、一対の突条部８２を一対の案内溝１１ａにそれぞれ挿入して、フラッシュパネル１００の上端縁から第２の外表面４ａに沿った方向へスライドして挿入することにより、フラッシュパネル１００に取り付けられる。
【００２２】
ここで、図３（ａ）に、第１及び第２の板状部材７，８を挿入する前のフラッシュパネル本体１１０の断面図として、図２（ａ）のＡ−Ａ線に沿った断面図を示す。図３（ａ）に示すように、フラッシュパネル本体１１０には、第１の表面板材３の切欠部３０の縁部に沿った部分と、芯材１の縦部材１０のしゃくり加工部１１とによって、一対の案内溝１１ａが形成されている。また、第２の表面板材４の切欠部４０の縁部に沿った部分と、芯材１の縦部材１０のしゃくり加工部１１とによっても、一対の案内溝１１ａが形成されている。
このように、第１及び第２の表面板材３，４の切欠部３０，４０の縁部に沿った部分を案内溝１１ａの構造の一部分として利用することにより、生産効率の向上を図ることができる。
【００２３】
続いて、図３（ｂ）に、第１の板状部材７の断面図として、図２（ａ）のＢ−Ｂ線に沿った断面図を示す。図３（ｂ）の上段に示すように、第１の板状部材７では、板状部材本体７１のしゃくり加工部が施された丸穴に、鍔状の縁５１を有する第１の採光部材５が接着固定されている。そして、第１の板状部材７の両端縁には、上述のように、段差により突条部７２が形成されている。
また、図３（ｂ）の下段に示すように、第２の板状部材８でも、第１の板状部材７都道世に、板状部材本体８１のしゃくり加工部が施された丸穴に、鍔状の縁６１を有する第２の採光部材６が接着固定されている。そして、第２の板状部材８の両端縁には、上述のように、段差により突条部８２が形成されている。
【００２４】
続いて、図３（ｃ）に、第１及び第２の板状部材７，８をフラッシュパネル本体１１０に挿入した後のフラッシュパネルの断面図として、図２（ｂ）のＣ−Ｃ線に沿った断面図を示す。図３（ｃ）に示すように、第１の採光部材５の外側の表面５ａは、第１の板状部材７及び第１の表面板材３の外表面である第１の外表面３ａと面一に配置されている。このため、フラッシュパネル１００の第１の表面板材３側の第１の外表面３ａには、窓部を構成する第１の採光部材５の周囲に段差が形成されていない。また、第２の採光部材６の外側の表面６ａも、第２の板状部材８及び第２の表面板材４の外側の表面である第２の外表面４ａと面一に配置されている。このため、フラッシュパネル１００の第２の表面板材４側の第２の外表面４ａにも窓部を構成する第２の採光部材６の周囲に段差が形成されていない。
【００２５】
なお、フラッシュパネル本体１１０の切欠部３０のうち、第１及び第２の板状部材７，８の下端縁が当接する部分にもそれぞれ溝を形成しておくとともに、第１及び第２の板状部材７，８の下縁にもそれぞれ突条を形成しておき、第１及び第２の板状部材７，８を切欠部３０にスライド挿入したときに、それぞれの下端縁の突条が溝に嵌め込まれるようにしてもよい。
【００２６】
このように、本実施形態のフラッシュパネル１００では、第１及び第２の板状部材７，８が、フラッシュパネル１００の上端縁１００ａから挿入することにより取り付けられているため、パネル完成後であっても、第１の板状部材７をスライドさせることにより、第１の板状部材７ごと第１採光部材５を容易に取り外すことができる。また、第２の板状部材８をスライドさせることにより、第２の板状部材８ごと第２の採光部材６を容易に取り外すことができる。
【００２７】
なお、第１及び第２の板状部材７、８のスライドを容易にするために、図２（ｂ）のＤ−Ｄ線に沿った断面図として図４に示すように、フラッシュパネルの芯材１の上桟１２の上縁に、手指が入る切欠１３を形成し、さらに、この切欠１３に露出する板状部材本体７１の裏面側に、手指を掛ける凹部１４を形成するとよい。
【００２８】
これにより、本実施形態のフラッシュパネル１００では、例えば、第１の採光部材４に傷が付いた場合、特に、目視検査の見落とし等の要因による傷が視認された場合であっても、第１の板状部材７ごと第１の採光部材６を容易に取り外して交換することができる。また、第２の採光部材６に傷が付いた場合にも、第２の板状部材８ごと第２の採光部材６を容易に取り外して交換することができる。このため、フラッシュパネル全体を交換する必要がなくなる。
【００２９】
また、本実施形態のフラッシュパネルでは、第１又は第２の板状部材７，８をスライドさせることにより、第１及び第２の採光部材４，５に挟まれた内部空間を開放することができるため、容易に内部空間を手入れすることができる。このため、例えば、内部空間に侵入した埃を除去することができ、また、第１及び第２の採光部材４，５の内面に曇りや結露が発生した場合には、第１及び第２採光部材４，５の内面を拭き掃除することができる。
また、第１及び第２の板状部材７，８の寸法形状を規格化することにより、板状部材を、予め製造しておいてストックしておくこともできる。
【００３０】
［第２実施形態］
図５（ａ）及び図５（ｂ）に、本発明の第２実施形態に係る採光部材付きパネルの分解斜視図を示す。同図に示すように、本実施形態の採光部材付きパネルは、両面９ａ，９ｂにそれぞれ外表面と面一に採光部材８０が設けられた框戸２００である。この框戸２００は、互いに平行な一対の縦框部材９０と、一対の縦框部材９０を連結する上桟部材９１、下桟部材９２及び中桟部材９３とを備えている。一対の縦框部材９０の対向面には、両面９ａ，９ｂに沿って一対の案内溝９０ａが形成されている。また、上桟部材９１には段落ち加工が施されている。
【００３１】
本実施形態では、框戸２００に挿入する２枚の板状部材８０は、それぞれ長方形の平面形状を有する平板状の採光部材８０からなり、採光部材８０の両側縁に、突条部８０１が形成されている。
そして、２つの採光部材８０は、突条部８０１を案内溝９０ａにそれぞれ挿入することによって、採光部材８０を框戸２００の上端縁から框戸の両表面（第１及び第２の外表面９ａ，９ｂ）に沿った方向にスライドして挿入することにより、框戸２００に取り付けられる。さらに、採光部材８０の上から、差込上桟８０２が案内溝９０ａに差し込まれる。
【００３２】
なお、本実施形態においても、第１実施形態と同様に、板状部材本体に採光部材を嵌め込んだものを板状部材として、スライド挿入してもよい。
また、中桟部材９３のうち、採光部材８０の下端縁と当接する部分にも框戸２００の両面９ａ，９ｂに沿って溝加工を施すとともに、２枚の採光部材８０の下端縁に突条を形成しておき、板状部材としての採光部材８０をスライド挿入したときに、採光部材８０下端縁の突条が中桟部材９３の溝に嵌め込まれるようにしてもよい。
さらに、差込上桟８０２のうち、採光部材８０の上端縁と当接する部分にも溝加工を施すとともに、採光部材８０の上端縁にも突条を形成しておき、差込上桟８０２が差し込まれたときに、板状部材としての採光部材８０の上端縁の突条が差込上桟８０２の溝に嵌め込まれるようにしてもよい。
【００３３】
このように、第２実施形態の框戸２００においても、採光部材８０が、框戸２００の上端縁から挿入することにより取り付けられているため、パネル完成後であっても、採光部材８０をスライドさせることにより容易に取り外すことができる。これにより、框戸においても、採光部材８０をスライドさせることにより、２枚の採光部材８０に挟まれた内部空間を開放することができるため、内部空間を手入れすることができる。
【００３４】
以上、本発明の採光部材付きパネルについて、好ましい実施形態を示して説明したが、本発明の採光部材付きパネルは、前述した実施形態にのみ限定されるものではなく、本発明の範囲で種々の変更実施が可能である。
上述した第１及び第２実施形態では、パネルの第１及び第２の外表面側の両方に、板状部材をスライド挿入して取り付けた例を説明したが、本発明では、パネルの一方の外表面側にのみ板状部材や採光部材を設けてもよい。例えば、第２の外表面側の板状部材を固定して、第１の外表面側の板状部材だけをスライド可能としてもよい。
【００３５】
また、上述した実施形態では、板状部材を上端縁からスライドさせてパネルに挿入した例を説明したが、挿入方向はこれに限定されず、板状部材を斜め上方や横方向からスライドさせてパネルに挿入してもよい。
また、上述した実施形態では、板状部材や採光部材の平面形状を長方形とした例を説明したが、平面形状はこれに限定されず、例えば、平行四辺形であってもよいし、下端縁の輪郭は、直線でなく、曲線や、曲線と直線とを組み合わせた形状であってもよい。
【産業上の利用可能性】
【００３６】
本発明は、引戸をはじめとするドア、窓、仕切り壁などの建具や、家具を構成するパネルとして好適に利用可能である。
【符号の説明】
【００３７】
１，２  芯材
３  第１の表面板材
３ａ  第１の外表面
４  第２の表面板材
４ａ  第２の外表面
５  第１の採光部材
５ａ  第１の採光部材の外側の表面
６  第２の採光部材
６ａ  第２の採光部材の外側の表面
７  第１の板状部材
８  第２の板状部材
１０  縦部材
１１  しゃくり加工部
１１ａ  案内溝
１２  上桟
２０  円形開口
７１，８１  板状部材本体
７２，８２  突条部
８０  採光部材
８０１  突条部
８０２  差込上桟
９０  縦框部材
９０ａ  案内溝
９１  上桟部材
９２  下桟部材
９３  中桟部材
１００  フラッシュパネル
１００ａ  上端縁
１１０  フラッシュパネル本体
２００  框戸
【図１】
2020020189.tif 000003
【図２】
2020020189.tif 000004
【図３】
2020020189.tif 000005
【図４】
2020020189.tif 000006
【図５】
2020020189.tif 000007